(57)【要約】      （修正有）【課題】通気性及び保温性を有する通気性保温構造を提供する。【解決手段】布の通気性保温構造であって、２つの布を支持し、２つの布の間で四方八方に空気が流通する空間を有する１つ又は複数の支持構造によって構成されることを特徴とし、支持構造の材料は合成繊維、人工繊維、レーヨン、ポリエステルから選択されるいずれか１つ、または複数であり、さらに、支持構造は、１〜５０ｍｍの高さを有する。また、支持構造を有する布は、衣類、帽子、スカーフ、首の保護、耳の保護、眼の保護、肩パッド、手袋、肘パッド、看護との支持構造肘、胸ガード、ガード腹、看護腰、太もも、看護ふくらはぎ、膝パッド、靴下、下着、下着、ブラジャー、マットレス、クッション、キルト、ベスト、衣類、寝袋、枕、マスク、または、寝具に使用されることを特徴とする。【選択図】図１
0003187002.tif 000002
【実用新案登録請求の範囲】
【請求項１】
その支持構造を特徴とする、支持構造は同一平面内または異なる平面に配置されてもよい、その間対流空気を可能にする構造によって、上記のように、支持構造は、ガスは人間の皮膚の上に熱風が出てくるというように、方向を流すことができるために、三次元空間上に形成することができる通気性保温構造。
【請求項２】
支持構造材料は合成繊維、レーヨン、いくつかの種にポリエステルである請求項１記載の通気性保温構造。
【請求項３】
支持構造は、５０ｍｍから１ｍｍまでの間の厚さを有することができる、請求項１記載の通気性保温構造。
【請求項４】
支持構造を記述した内の既存の衣類、帽子、スカーフ、首の保護、耳の保護、眼の保護、肩パッド、手袋、看護との支持構造肘、胸ガード、ガード腹、看護腰、太もも、看護ふくらはぎ、膝パッド、靴下、下着、下着、女性のブラジャー、マットレス、クッション、キルト、ベスト、衣類、寝袋、枕、枕、カフ肩甲骨セット、マスクと一緒にいくつかまたはすべての寝具を使用している、請求項１〜３のうちいずれか一項に記載の通気性保温構造。
【請求項５】
孔質構造の厚さのいくつかを有することを特徴とする、空気循環チャンネル付き穴、穴、（公序良俗違反につき、不掲載）に隣接して、その間に空気の対流を可能にする；上記の構造により、４週間で穴が三次元空間を作り出すことができ、すべての方向にガスの循環を助けるため、人間の皮膚に熱を分配アウト通気性保温構造。
【請求項６】
多孔質構造材料は合成繊維、レーヨン、いくつかの種にポリエステル繊維やナイロンのいずれかを選択できる請求項５記載の通気性保温構造。
【請求項７】
多孔質構造形状は、円形、三角形、四角形、多角形、不規則な、あるいはひし形であってよい請求項５記載の通気性保温構造。
【請求項８】
支多孔質構造は、５０ｍｍから１ｍｍまでの間の厚さを有することができる請求項５記載の通気性保温構造。
【請求項９】
多孔質構造を記述した内の既存の衣類、帽子、スカーフ、首の保護、耳の保護、眼の保護、肩パッド、手袋、看護との支持構造肘、胸ガード、ガード腹、看護腰、太もも、看護ふくらはぎ、膝パッド、靴下、下着、下着、女性のブラジャー、マットレス、クッション、キルト、ベスト、衣類、寝袋、枕、枕、カフ肩甲骨セット、マスクと一緒にいくつかまたはすべての寝具を使用している請求項５〜８のうちいずれか一項に記載の通気性保温構造。
【考案の詳細な説明】
【技術分野】
【０００１】
特にその構造との関係で通気性構造の学科の創設は、絶縁性とサポートするために冷却通気性断熱構造の目的を達成するために、空気の循環を可能にする。
【背景技術】
【０００２】
体温は、一般的に３７℃  〜３６の間で一定であるが、人間の体は、絶縁機能を有している。”スキン”、内臓を保護するために皮膚の主な機能は、汗、解毒のために身体の最大の器官組織。
【０００３】
皮膚は環境要因や温度の影響によるでの状況に戻って血（冷たい空気など）の影響を受けやすいが、体の温度を仲介することができる（のような：空気に寒い場所や暑い日）は、すぐに身体蒸し暑い、気密、または寒すぎる発生を引き起こし、適切な衣服を交換することはできない。
【０００４】
体温は人間の体内物質、ヒト細胞の種々の生理的反応に欠かせない要素の一つの代謝過程で発生する熱の性能ですが、体温は異なる身体の位置に応じて変化し、一般的には、より離れての中心部からなる遠い位置（のような：手、足、または鼻の先やその他の部品）、遅い血液循環の可能性が高い結果が低く、夏や冬にはこの違いがより明らかである。
【０００５】
たとえば、次のように夏の胸の皮膚温度は約３６．６℃で、太ももの皮膚は約３３．６℃であり、胸部の皮膚の温度は３６．４℃程度である冬の、手肌だけで約１０℃
温度で上昇またはインビボ、発汗流速加速皮膚、拡張させる血管の血液の循環が増加すると、どの効果的に放散することができる；
一方で、生体内で、皮膚の血液循環流量の温度降下はこうして熱を分散防止、血管収縮を鈍化させ、人体の体温調節は非常に重要な役割を持っている。
【０００６】
衣類の外側層が体温を調節するのに十分な通気性の層を持っていると通常の自然であり、過度の衣類だけ肌の自然な透過性を妨げるだけでなく、身体の負担を増加させない。
【０００７】
どのように我々は通気性と断熱の目的のために、創造的な解決を重視し、人々や欲望を達成するために、同時に１つを提供することができる。
【考案の概要】
【課題を解決するための手段】
【０００８】
既存の通気性構造のビューで同時にすることなく、欠点の通気性断熱、長い時間一定の研究開発により創出しており、最終的に開発されたこのような通気性のある断熱構造は、平均的な空気対流を可能にする。
【０００９】
布でファブリックまたは統合で提供することができるこの作成通気性断熱構造は、からいくつかを有する支持構造は、支持構造は同一平面内または異なる平面に配置することができることを特徴とする、支持構造は、空気対流を挟むことができる。
【００１０】
上記の構造による創造の主な目的は、支持構造は、すべての方向の循環ガスを助けるために、三次元空間を形成するように、ヒトの皮膚から出てくる熱風が；
その布は、腰、太もも、看護ふくらはぎ、膝パッド、靴下、下着、下着を保持したまま、帽子、スカーフ、首の保護、耳の保護、眼の保護、肩パッド、手袋、肘パッド、看護チェストガード腹になる女性のブラジャー、マットレス、キルト、ベスト、衣類（ジャケット、コート、ズボンなど）、ユーザーが利用できる寝袋、枕、枕、袖口、肩甲骨、マスクや寝具（内側のライニングを含む）、上の人間の衣類服装、覆われたり、塗布し、通気性のある空間は、通気性、平均分布に近い人間の皮膚の温度は蒸し暑くないように、ガス分布と対流を助け、空間の断熱の目的を達成することができ形成。
【００１１】
創造通気性断熱構造は、人体と通気層と直接接触から単離することができる、予約済みの空気は十分なスペースの循環を持っている、人間の皮膚の機能を調整し、最大のパフォーマンスを達成することができるので、環境保護に貢献して、衣類の数を減らし、全体的な生態環境関心。
【００１２】
それは創造の通気性断熱構造は、人間の皮膚の快適さのような天然繊維素材で作られた繊維材料を使用することを言及する価値がある、それ自体がまた吸熱、これが増加し、高温ガス放電によってこもっすることができなければならないでしょうエネルギーが消費されないように、ガスの変換。
【００１３】
また、通気性のある断熱構造の作成は、衣類を身に着けている人を除いて、寝具もペットを（例えば：犬、猫やウサギ等）を与えるために生産にすることができるカバーまたはコーティングされた、身に着けている。
【図面の簡単な説明】
【００１４】
【図１】本考案の通気性保温構造の一番目の実施例である。
【図２】本考案の通気性保温構造の二番目の実施例である。
【図３】本考案の通気性保温構造の三番目の実施例である。
【考案を実施するための形態】
【００１５】
図一を参照は、図通気性絶縁構造のこの最初の実装例の作成。この創造通気断熱構造そのできるゆう設定生地、ファブリックと絹と綿と繊維とサテンと糸と、および髪の毛、および合成、人工繊維とポリエステル繊維とナイロンの一部または全部またはファブリックと絹や綿と繊維、およびサテンと糸と、および髪の毛、および合成と人工繊維とポリエステル繊維とナイロンの一部または全部の統合いくつかの、支持構造Ａ有することを特徴と支持構造Ａ周りに（垂直または積層）同一平面内または異なる平面に配置されてもよい対流により空気その間を可能にする；構造によって、上記のように、支持構造Ａ形成することができる三次元空間では、熱風が、ヒトの皮膚から出てくるように、全ての方向にガスの循環を助ける；その布は、腰、太もも、看護ふくらはぎ、膝パッド、靴下、下着、下着を保持したまま、帽子、スカーフ、首の保護、耳の保護、眼の保護、肩パッド、手袋、肘パッド、看護チェストガード腹になる女性のブラジャー、マットレス、クッション、キルト、ベスト、衣類（ジャケット、コート、ズボンなど）  、寝袋、枕、枕、袖口、肩甲骨セット、マスク、寝具、その他の衣類（布の内側を含む）、被覆または通気性の空間のコーティングを着用するガス分布と対流を助けることができるので、通気性、平均分布に近い人間の皮膚の温度が蒸し暑いしないことと天然断熱通気性の目的を達成するため、ユーザに提供。
【００１６】
この作成通気性断熱構造、材料はいくつかの種類に合成繊維、レーヨン、ポリエステル繊維やナイロンのいずれかになる。支持構造を含み、この作成通気性断熱構造、支持構造の厚さを特徴〜５０ＭＭの間。
【００１７】
創造構造既存の衣類、衣類Ｂマットレス、またはクッションの一部またはすべてをサポートして一緒に通気性断熱構造。第二の実施形態は、既存の服を使用して作成通気性断熱構造学科、寝具、組み合わせた布ボディの図ＩＩベースのオーサリング通気性断熱構造。
【００１８】
図３は、通気性のある断熱構造の第３実施例の三行指向の作成を参照してください。ファブリック内で設定することができる作成、布、絹、綿、織物、サテン、糸、リネン、ウール、合成繊維、合成繊維、ポリエステル繊維、ナイロン、一部または全部のまたはを持つ生地の通気性のある断熱構造布地、絹、綿、織物、サテン、糸、リネン、ウール、合成繊維、合成繊維、ポリエステル繊維、ナイロン一部または統合のすべて。その機能ですが、数には穴  ｃ  の厚さを有する  （穴ができる隣接または上部と下部のスタックですまたは）、チャネルの空気の循環の穴間の隣接していると穴、および小さなポイント空気対流中優をさせることができる；  を介して上記の構造は、週することができる穴ステレオ空間、ガスすることができるすべての方向の循環に役立ちます生産、人間になる皮膚の熱を分散うち；  そのファブリック生産帽子とスカーフと看護師首と耳カバーとナースの目と肩と手袋と看護婦肘とアンカー部、腹部、看護師腹になる、看護婦腰と看護婦太ももと看護師脚とニーパッドと靴下と下着と女性のブラジャーとマットレスとクッションとキルトとベストと  （コートとのコートとズボンを含む）、衣類と寝袋と枕とスリーブ  セットと肩甲骨のセットとマスクと寝具、様々な服（布の中を含む）Ｓｈａｎｇ、提供するユーザーを着てとカバーまたはパッケージのレビューによって形成された通気スペースゆうを助けることができるガスの分散と対流人間の皮膚温度循環平均近く、息苦しくない空気透磁率や絶縁目的にするには。
【００１９】
この創造的な通気性絶縁構造生地可能な合成繊維、人工繊維、ポリエステルまたはナイロン生産の番号のいずれかを使用；  通気性の著者絶縁チャンネルｃ、小さな穴、穴形状、構造が円形、三角、長方形、多角形、不整形またはダイヤモンドが可能である。
【００２０】
このことが、穴のｃ構造をできと既存のことができる既存のドレスと帽子とスカーフと看護師首と耳カバーとナースの目と肩と手袋とナース肘と部と看護師腹腹部と看護婦腰と看護師太ももとナース脚とニーパッドと靴下と下着と女性のブラジャーとマットレスとクッションとキルト、ベスト、定着し衣類と寝袋と枕とスリーブを設定、作成通気断熱構造と肩甲骨のセットとマスクと寝具の一部または全部の統合で一緒に。
【００２１】
通気断熱構造の創出任意人間の皮膚科で使用することができる、寝具、衣類の着用の外の人々  に利用できるように加えて、ヒートシンク熱効果を満たすことができて、またペットのために作ることができる（動物犬、猫、またはウサギの一定温度など）  暖かく保つために希望者と彼らの服は、カバーまたはコーティングの場所。
【００２２】
良い実装の作成と通気性絶縁構造を詳述上の例を介してのみただし、任意の変更の実装を行ったし、穴、素材、製法の厚さ、形状やファブリック、シングル、数などをダブル変更または複数変更精神と創造のスコープからされない。上記の詳細からスキルに慣れることができる、著者からの理解確かに上記の目的を達成できる、本物の特許法の規定と一致されている、特許出願を書く法律に従って適用される。
【符号の説明】
【００２３】
Ａ  支持構造物
Ｂ  クロスボディ
Ｃ  穴
Ｄ  チャネル
【図１】
0003187002.tif 000003
【図２】
0003187002.tif 000004
【図３】
0003187002.tif 000005
【手続補正書】
【提出日】平成25年4月25日(2013.4.25)
【手続補正１】
【補正対象書類名】明細書
【補正対象項目名】全文
【補正方法】変更
【補正の内容】
【考案の詳細な説明】
【技術分野】
【０００１】
本考案は、通気性及び保温性を有する通気性保温構造に関する。
【背景技術】
【０００２】
人間の体温は、一般的に３６〜３７℃の間であり、人間の体は、保温機能を有している。人体の最大の器官の組織は”皮膚”であり、皮膚の主な機能は、内臓を保護すること、汗および毒素を排出することである。皮膚は体の温度を調節することができるが、体温は、環境要因（冷たい空気、寒い場所、暑い日差しなど）や血液の循環の状態の影響を受けやすいので、適切な衣服に交換しなければ、身体が蒸し暑くなったり、通気性が悪くなったり、または寒すぎたりする状態を引き起こす。
【０００３】
体温は体内における代謝過程で発生するものであり、人体の細胞の各種の生理的反応には欠かせない要素の一つである。体温は身体の場所に応じて異なるものであり、一般的には、心臓から離れた位置（手、足、または鼻の先など）は、血液循環が緩慢になり体温は低くなり、夏や冬にはこの違いがより明らかである。たとえば、夏の胸の皮膚温度が約３６．６℃であるのに対して、太ももの皮膚は約３３．６℃であり、冬の胸部の皮膚の温度が３６．４℃であるのに対して、手の皮膚は約１０℃しかない。温度が上昇すると皮膚内の血液の循環速度が速くなり、血管が拡張して発汗が増加して熱を効果的に放散することができる。一方で、温度が下降すると、皮膚内の血液の循環速度は遅くなり、血管が収縮することで、熱が放散されるのを防止する。このように、人体における体温調節は非常に重要な役割を持っている。
【考案の概要】
【考案が解決しようとする課題】
【０００４】
衣類が体温を調節するのに十分な通気性の層を有するものであれば、正常で自然な体温調節ができるが、不適切な衣類だと、皮膚の自然な通気性を妨げるだけでなく、人体に負担を増加させる。
【０００５】
本考案は、通気性と保温を有する通気性保温構造を提供することを目的とする。
【課題を解決するための手段】
【０００６】
本考案の通気性保温構造は、通気性と保温性を有する布の通気性保温構造であって、２つの布を支持し、前記２つの布の間で四方八方に空気が流通する空間を有する１つ又は複数の支持構造によって構成されることを特徴とする。
【０００７】
前記支持構造の材料は合成繊維、人工繊維、レーヨン、ポリエステルから選択されるいずれか１つ、または複数である。
【０００８】
前記支持構造は、１〜５０ｍｍの高さを有する。
【０００９】
前記支持構造を有する布は、衣類、帽子、スカーフ、首の保護、耳の保護、眼の保護、肩パッド、手袋、肘パッド、看護との支持構造肘、胸ガード、ガード腹、看護腰、太もも、看護ふくらはぎ、膝パッド、靴下、下着、下着、ブラジャー、マットレス、クッション、キルト、ベスト、衣類、寝袋、枕、マスク、または、寝具に使用される。
【００１０】
本考案の別の通気性保温構造は、通気性と保温性を有する布の通気性保温構造であって、複数の孔から構成さる多孔質構造を有し、隣接する前記孔は互いを接続する通路または穴を有し、前記孔、および前記孔を互いに接続する通路または穴を空気が流通し、前記孔と孔との間を空気が流通することを特徴とする。
【００１１】
前記多孔質構造の材料は合成繊維、人工繊維、レーヨン、ポリエステルから選択されるいずれか１つ、または複数である。
【００１２】
前記多孔質構造は、円形、三角形、四角形、多角形、あるいはひし形の孔からなる。
【００１３】
前記多孔質構造は、１〜５０ｍｍの高さを有する。
【００１４】
前記多孔質構造を有する布は、衣類、帽子、スカーフ、首の保護、耳の保護、眼の保護、肩パッド、手袋、肘パッド、看護との支持構造肘、胸ガード、ガード腹、看護腰、太もも、看護ふくらはぎ、膝パッド、靴下、下着、下着、ブラジャー、マットレス、クッション、キルト、ベスト、衣類、寝袋、枕、マスク、または、寝具に使用される。
【図面の簡単な説明】
【００１５】
【図１】本考案の通気性保温構造の一番目の実施例である。
【図２】本考案の通気性保温構造の二番目の実施例である。
【図３】本考案の通気性保温構造の三番目の実施例である。
【考案を実施するための形態】
【００１６】
図１は、通気性保温構造の一番目の実施例である。一番目の実施例の通気性保温構造は、ファブリック、絹、綿、繊維、サテン、糸、毛、合成繊維、人工繊維、ポリエステル繊維、ナイロンからなる布の一部または全体に用いられ、ファブリック、絹、綿、繊維、サテン、糸、毛、合成繊維、人工繊維、ポリエステル繊維、ナイロンのいずれかまたは組み合わせからなる布の一部または全体に用いられる。本考案の通気性保温構造は、２つの布を支持する支持構造Ａを有することを特徴とし、支持構造Ａは、２つの布の間で空気が対流する空間を有する。支持構造Ａは、２つの布の間に空間を形成し、空気が四方八方から流れることを可能とし、人の皮膚からの熱を発散させるように空気の循環を助けることができる。
【００１７】
前記支持構造Ａを用いた布は、膝パッド、靴下、下着、帽子、スカーフ、肩パッド、手袋、肘パッド、ブラジャー、マットレス、クッション、キルト、ベスト、衣類（ジャケット、コート、ズボンなど）、寝袋、枕、マスク、寝具、その他の衣類（布の内側を含む）に使用され、利用者はこれらを着る、被る、覆われることによって、通気性を有する空間が体の周りに形成され、空気の流れ、熱の放出を助けることができるので、平均的な体温に皮膚の温度が近づくように熱を発散させて、保温性と通気性を確保するという本考案の目的を達成することができる。
【００１８】
前記支持構造の材料は、合成繊維、レーヨン、ポリエステル繊維やナイロンのいずれかまたは複数である。前記支持構造の高さは１〜５０ｍｍの間とする。
【００１９】
本考案の通気性保温構造は、既存の衣類、衣服、マットレス、またはクッションの一部または全部に用いることができる。図２は二番目の実施例であり、本考案の通気性保温構造を、既存の衣類、衣服、マットレスあるいは布素材Ｂに用いたものである。
【００２０】
図３は、通気性保温構造の第三番目の実施例である。一番目の実施例の通気性保温構造は、ファブリック、絹、綿、繊維、サテン、糸、毛、合成繊維、人工繊維、ポリエステル繊維、ナイロンからなる布の一部または全体に用いられ、ファブリック、絹、綿、繊維、サテン、糸、毛、合成繊維、人工繊維、ポリエステル繊維、ナイロンのいずれかまたは組み合わせからなる布の一部または全体に用いられる。第三番目の実施例の通気性保温構造は、所定の高さを有する孔Ｃ（孔は隣接して、または上、下に重ねれて配置可能）を複数有する多孔質構造であり、隣接する孔の間を接続する通路Ｄまたは穴が設けられており、前記通路または穴は空気が流通する。このような構造により、気体は孔および通路または穴を通じて四方八方に流通し、皮膚の熱は発散されることが可能となる。
【００２１】
前記通気性保温構造を有する布を用いて、帽子、スカーフ、耳カバー、ニーパッド、靴下、下着、ブラジャー、マットレス、クッション、キルト、ベスト、衣服（ジャケット、コートとズボンを含む）、衣類、寝袋、枕、枕カバー、マスク、寝具、様々な服（ライニングを含む）を製造し、利用者はこれらを着る、被る、あるいは覆われることによって、通気性を有する空間が体の周りに形成され、空気の流れ、熱の放出を助けることができるので、平均的な体温に皮膚の温度が近づくように熱を発散させて、保温性と通気性を確保するという本考案の目的を達成することができる。
【００２２】
本考案の通気性保温構造の材料は、合成繊維、人工繊維、ポリエステルまたはナイロンのいずれか生産の番号のいずれかまたは複数が使用される。前記孔Ｃは、円形、三角、長方形、多角形、不規則な形または菱形が可能である。前記孔Ｃの高さは１〜５０ｍｍの間とする。
【００２３】
このような前記孔Ｃからなる通気性保温構造を、既存の服、帽子、スカーフ、手袋、ニーパッド、靴下、下着、ブラジャー、マットレス、クッション、キルト、ベスト、衣服、寝袋、枕、枕カバー、マスク、寝具の一部または全部に用いることができる。
【００２４】
本考案の通気性保温構造は、人間の皮膚に触れる箇所に使用することができ、通気効果と保温効果とをもたらすことができる。人が使用する寝具、衣類以外にも、ペット（恒温動物の犬、猫、またはウサギなど）の服として使用し、保温させたい箇所に着用、被らせる、または覆うこともできる。
【００２５】
これまでに説明したのは本考案の通気性保温構造の好ましい実施例についてである。本考案の通気性保温構造については、任意の変更が可能であり、穴の数、素材、高さ、形状、材質、一重、２層構造、あるいは複層構造等の変更は、本考案の範囲内で変更可能である。
【符号の説明】
【００２６】
Ａ  支持構造物
Ｂ  クロスボディ
Ｃ  孔
Ｄ  通路
【手続補正２】
【補正対象書類名】実用新案登録請求の範囲
【補正対象項目名】全文
【補正方法】変更
【補正の内容】
【実用新案登録請求の範囲】
【請求項１】
通気性と保温性を有する布の通気性保温構造であって、２つの布を支持し、前記２つの布の間で四方八方に空気が流通する空間を有する１つ又は複数の支持構造によって構成されることを特徴とする布の通気性保温構造。
【請求項２】
前記支持構造の材料は合成繊維、人工繊維、レーヨン、ポリエステルから選択されるいずれか１つ、または複数であることを特徴とする請求項１記載の通気性保温構造。
【請求項３】
前記支持構造は、１〜５０ｍｍの高さを有することを特徴とする請求項１記載の通気性保温構造。
【請求項４】
前記支持構造を有する布は、衣類、帽子、スカーフ、首の保護、耳の保護、眼の保護、肩パッド、手袋、肘パッド、看護との支持構造肘、胸ガード、ガード腹、看護腰、太もも、看護ふくらはぎ、膝パッド、靴下、下着、下着、ブラジャー、マットレス、クッション、キルト、ベスト、衣類、寝袋、枕、マスク、または、寝具に使用されることを特徴とする請求項１〜３のうちいずれか一項に記載の通気性保温構造。
【請求項５】
通気性と保温性を有する布の通気性保温構造であって、複数の孔から構成さる多孔質構造を有し、隣接する前記孔は互いを接続する通路または穴を有し、
前記孔、および前記孔を互いに接続する通路または穴を空気が流通し、前記孔と孔との間を空気が流通することを特徴とする布の通気性保温構造。
【請求項６】
前記多孔質構造の材料は合成繊維、人工繊維、レーヨン、ポリエステルから選択されるいずれか１つ、または複数であることを特徴とする請求項５記載の通気性保温構造。
【請求項７】
前記多孔質構造は、円形、三角形、四角形、多角形、あるいはひし形の孔からなることを特徴とする請求項５記載の通気性保温構造。
【請求項８】
前記多孔質構造は、１〜５０ｍｍの高さを有することを特徴とする請求項５記載の通気性保温構造。
【請求項９】
前記多孔質構造を有する布は、衣類、帽子、スカーフ、首の保護、耳の保護、眼の保護、肩パッド、手袋、肘パッド、看護との支持構造肘、胸ガード、ガード腹、看護腰、太もも、看護ふくらはぎ、膝パッド、靴下、下着、下着、ブラジャー、マットレス、クッション、キルト、ベスト、衣類、寝袋、枕、マスク、または、寝具に使用されることを特徴とする請求項５〜８のうちいずれか一項に記載の通気性保温構造。
【手続補正書】
【提出日】平成25年8月28日(2013.8.28)
【手続補正１】
【補正対象書類名】明細書
【補正対象項目名】０００９
【補正方法】変更
【補正の内容】
【０００９】
前記支持構造を有する布は、衣類、帽子、スカーフ、首の保護、耳の保護、眼の保護、肩パッド、手袋、肘パッド、肘用サポート、胸ガード、腹ガード、腰ガード、太ももガード、ふくらはぎガード、膝パッド、靴下、下着、下着、ブラジャー、マットレス、クッション、キルト、ベスト、衣類、寝袋、枕、マスク、または、寝具に使用される。
【手続補正２】
【補正対象書類名】明細書
【補正対象項目名】００１４
【補正方法】変更
【補正の内容】
【００１４】
前記多孔質構造を有する布は、衣類、帽子、スカーフ、首の保護、耳の保護、眼の保護、肩パッド、手袋、肘パッド、肘用サポート、胸ガード、腹ガード、腰ガード、太ももガード、ふくらはぎガード、膝パッド、靴下、下着、下着、ブラジャー、マットレス、クッション、キルト、ベスト、衣類、寝袋、枕、マスク、または、寝具に使用される。
【手続補正３】
【補正対象書類名】実用新案登録請求の範囲
【補正対象項目名】請求項４
【補正方法】変更
【補正の内容】
【請求項４】
前記支持構造を有する布は、衣類、帽子、スカーフ、首の保護、耳の保護、眼の保護、肩パッド、手袋、肘パッド、肘用サポート、胸ガード、腹ガード、腰ガード、太ももガード、ふくらはぎガード、膝パッド、靴下、下着、下着、ブラジャー、マットレス、クッション、キルト、ベスト、衣類、寝袋、枕、マスク、または、寝具に使用されることを特徴とする請求項１〜３のうちいずれか一項に記載の通気性保温構造。
【手続補正４】
【補正対象書類名】実用新案登録請求の範囲
【補正対象項目名】請求項９
【補正方法】変更
【補正の内容】
【請求項９】
前記多孔質構造を有する布は、衣類、帽子、スカーフ、首の保護、耳の保護、眼の保護、肩パッド、手袋、肘パッド、肘用サポート、胸ガード、腹ガード、腰ガード、太ももガード、ふくらはぎガード、膝パッド、靴下、下着、下着、ブラジャー、マットレス、クッション、キルト、ベスト、衣類、寝袋、枕、マスク、または、寝具に使用されることを特徴とする請求項５〜８のうちいずれか一項に記載の通気性保温構造。